【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
通信の方法であって、
識別子および／または言語を保存および／または共有するためのレポジトリを提供するステップであって、前記識別子は、ユーザ、ユーザのグループ、エンティティ、および／またはアイテムのアイデンティティおよび／または他の属性を確立するステップと、
アクセスが制御された、少なくとも１つのユーザが操作可能な端末を、前記レポジトリならびに前記レポジトリ中に保存された前記識別子および／または言語に提供するステップと、
を含み、
前記識別子および／または言語は、通信の強化および／または統合の目的のために、情報、メッセージ、命令、属性、および／または表現を搬送するために用いられる、通信の方法。
【請求項２】
前記識別子および／または言語は、前記ユーザ、ユーザのグループおよび／またはエンティティにより生成または選択される、請求項１に記載の通信の方法。
【請求項３】
第１のユーザ、ユーザのグループおよび／またはエンティティは前記識別子および／または言語を生成し得、さらなるユーザ、ユーザのグループおよび／またはエンティティは、前記識別子および／または言語またはそのエレメントの絞り込み、改正、更新、向上および／または展開を行い得る、請求項２に記載の通信の方法。
【請求項４】
前記通信は通信ネットワークを介して提供され、ＳＭＳ、ＭＭＳ、ｅメール、スカイプ、ＶｏＩＰ、インスタントメッセージング、ソーシャルネットワーキングプラットフォーム、ＨＴＴＰ、ＦＴＰ、ＴＣＰＩＰおよび／または他の任意の適切なネットワークベースの通信プロトコル、および／または前記プロトコルの任意の組み合わせからなる群から選択される１つ以上の通信プロトコルを用いて行われる、請求項１に記載の通信の方法。
【請求項５】
前記識別子および／または言語の前記エレメントは、静止画または動画、音声、匂い、テクスチャ、温度、運動、外観、および／または他の任意の適切なエレメント、および／またはその任意の適切な組み合わせからなる群から選択される、請求項３に記載の通信の方法。
【請求項６】
前記少なくとも１人のユーザが操作可能な端末は、通信および／またはコンピュータデバイス、モバイル端末、モバイルまたは携帯電話、ＰＤＡまたはパームパイロット、インターネット、ブロードバンド、フリートゥエアー、および／またはモバイルテレビジョンを含むテレビジョン、サーバ、権利表現バウチャー、ゲームコンソール、フラッシュプレイヤー、双方向ポケベル、ポケットまたはタブレットＰＣ、オートＰＣ、電化製品、および／または任意の適切な通信プロトコルを介して通信可能な他の任意の適切なデバイスからなる群から選択される、請求項５に記載の通信の方法。
【請求項７】
前記識別子および／または言語またはそのエレメントは、ソーシャルネットワーク内のインタラクション、テレビジョン、ゲーミングまたは他のプログラミングアプリケーション、ＡＰＩ、強化サーチ、住居および／または建物自動化システム、バイオフィードバックまたは近接デバイス、カラオケデバイス、音楽デバイス、組織的マッピングおよび／またはプランニングツール、および／または他の任意の適切なデバイス、システムおよび／またはそのためのアプリケーションのための多様な出力として用いられる、請求項１に記載の通信の方法。
【請求項８】
前記出力が前記テレビジョン、ゲーミングまたは他のプログラミングアプリケーションと共に用いられる場合、前記識別子および／または言語は、調整された製作指令と合併されて、これにより、新規テレビジョン、または多様なデバイスおよび／またはプラットフォームにわたる出力のためにコンテンツを公開する他の手段を生成する、請求項７に記載の通信の方法。
【請求項９】
前記識別子および／または言語は、組織的またはネットワークマッピング、プロジェクト経営者、ファイルのインデキシングおよび／またはグラフィカル機能を用いた多面的な統合された表示を促進するためのアイデンティティーの視覚的表現として用いられる、請求項１に記載の通信の方法。
【請求項１０】
請求項１に記載の方法に従った使用に適した通信装置。
【請求項１１】
電子通信の送信者と前記通信の少なくとも１人の受信者との間の通信の方法であって、通信言語が第１のユーザによって生成され、前記言語が利用され、さらなるユーザが、前記言語をさらに個人化するように招待され、前記方法は、
少なくとも１つの言語エレメントに対して、前記受信者がアクセスを有する少なくとも１つの電子通信デバイスの上に、または当該デバイスから、表現可能である画像、音声、匂い、テクスチャ、温度、運動、外観のうちのいずれか１つ以上を割り当てるステップであって、前記送信者は、メッセージを送信者の電子通信デバイスに入力し、前記メッセージは、前記少なくとも１つの言語エレメントを含み、前記送信者は、前記メッセージを前記受信者の前記通信デバイスに送り、これにより、前記受信者が前記受信者の選択した通信デバイス上で前記メッセージを受信または開いた場合、前記画像の場合、前記デバイスは前記画像を表示し、前記音声の場合、前記デバイスは前記音声を再生し、前記匂いの場合、前記デバイスは前記匂いを放出し、前記テクスチャの場合、前記デバイスは前記テクスチャを採用し、前記温度の場合、前記デバイスは前記温度となり、前記運動の場合、前記デバイスは前記運動を行い、前記外観の場合、前記デバイスは前記外観を採用するステップを含む、通信の方法
【請求項１２】
通信システムであって、前記システムは通信ネットワーク上で動作可能であり、前記システムは、
識別子および／または言語を、保存および／または維持するように動作可能な少なくとも１つのメモリまたは保存ユニットであって、前記識別子は、ユーザ、ユーザのグループ、エンティティおよび／またはアイテムのアイデンティティおよび／または他の属性を確立するメモリまたは保存ユニットと、
複数のユーザについて前記識別子および／または言語へのアクセスを維持および制御するソフトウェアを実行するように動作可能な少なくとも１つのプロセッサと、
前記識別子および／または言語および／またはそのエレメントを、検索および／または更新するために、前記複数のユーザが前記ソフトウェアを操作するためのインターフェースを提供するように動作可能な少なくとも１つの入力／出力デバイスと、
を含み、
前記識別子および／または言語および／またはそのエレメントは、通信の強化および／または統合の目的のために情報、メッセージ、命令、属性、および／または表現を搬送するために用いられる、通信システム。
【請求項１３】
請求項１２に記載のシステムとの使用に適した製品またはデバイス。
【請求項１４】
前記識別子および／または言語は、前記オペレーティングシステムまたは他のソフトウェアアプリケーションの、前記ナビゲーションおよび／または他の態様の簡素化および／または個人化のために、オペレーティングシステムまたは他のソフトウェアアプリケーションに組み込まれる、請求項１に記載の通信の方法。
【請求項１５】
前記オペレーティングシステムは、デジタルもしくはＩＰＴＶネットワーク、または前記デジタルもしくはＩＰＴＶネットワークのためのグラフィカルユーザインターフェースであり、前記ソフトウェアアプリケーションはゲームである、請求項１４に記載の通信の方法。
【請求項１６】
前記識別子は、ユーザによって選択された特定の識別子に従って関連情報が表示される、異なるビューおよび異なる機能へのリンクを表示するために、グラフィカルユーザインターフェース内において用いられる、請求項１に記載の通信の方法。
【請求項１７】
ネットワークコンテンツのサーチ、ユーザ、ユーザのグループおよび／もしくはエンティティの調査、情報のインデキシング、保存もしくは統合、物流システム、出版、ブランド化、多面的な方法での投票もしくは視覚的に表示される情報、カラオケもしくは音楽システム、もしくはカラオケもしくは音楽サーチシステム、認定システム、並びに／または知識管理システム、のアプリケーションのうちの１つ以上のための、請求項１に記載の方法に従って提供および／または生成された前記識別子および／または言語の使用。
【請求項１８】
前記識別子は、組織、ネットワークおよび／または知識に基づいた情報の視覚的マップを作成するために用いられ、前記視覚的マップは、必要に応じて層またはコンポーネントに分解および／または掘り下げることが可能である、請求項１に記載の通信の方法。
【請求項１９】
家、企業、イベントまたは他の物理的または空間的自動化システムであって、前記システムにより、請求項１に記載の通信の方法に従って提供および／または生成された識別子を装着するか、またはセンサまたは他の位置決定デバイスにより作動させるか、またはウェブサイトにおいて設定するかして、これにより、選択された環境は、ユーザ、ユーザのグループまたはエンティティ識別子内において設定されたアイデンティティー、ブランドまたはムード属性に従って前記環境を変更または改正するように、ユーザまたはユーザのグループによって設定される、システム。
【請求項２０】
前記カラオケもしくは音楽システム、またはカラオケもしくは音楽サーチシステムのために、音楽出力が、前記通信の方法の他の態様と共に用いるための言語エレメントを生成する、請求項１７に記載の識別子および／または言語の使用。